(57)【特許請求の範囲】
【請求項１】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、
送達通知先メールアドレスを記憶する送達通知先記憶手段と、
電子メール受信時、その受信した電子メールが送達確認のための電子メールであることを検出する送達確認メール確認手段と、
上記送達確認メール確認手段が送達確認のための電子メールであると検出した電子メールは、上記送達通知先記憶手段に記憶されている送達通知先メールアドレスへ転送する送達確認メール転送手段を備えたことを特徴とするネットワークファクシミリ装置。
【請求項２】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、
送達通知先メールアドレスを記憶する送達通知先記憶手段と、
電子メール受信時、その受信した電子メールが送達確認のための電子メールであることを検出する送達確認メール確認手段と、
上記送達確認メール確認手段が送達確認のための電子メールであると検出した電子メールについて、その電子メールのＦｒｏｍアドレスに送信者個人のメールアドレスが設定されている場合には、そのＦｒｏｍアドレスのメールアドレスへその電子メールを転送する一方、その電子メールのＦｒｏｍアドレスに送信者個人のメールアドレスが設定されていない場合には、上記送達通知先記憶手段に記憶されている送達通知先メールアドレスへその電子メールを転送する送達確認メール転送手段を備えたことを特徴とするネットワークファクシミリ装置。
【請求項３】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、
送達通知先メールアドレスを記憶する送達通知先記憶手段と、
電子メール受信時、その受信した電子メールが送達確認のための電子メールであることを検出する送達確認メール確認手段と、
上記送達確認メール確認手段が送達確認のための電子メールであると検出した電子メールの内容に、転送エラーにかかる所定の内容が含まれているかどうかを調べ、その電子メールに上記転送エラーにかかる所定の内容が含まれている場合には、上記送達通知先記憶手段に記憶されている送達通知先メールアドレスへ、その電子メールを転送する送達確認メール転送手段を備えたことを特徴とするネットワークファクシミリ装置。
【請求項４】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、
送達通知先メールアドレスを記憶する送達通知先記憶手段と、
電子メール受信時、その受信した電子メールが送達確認のための電子メールであることを検出する送達確認メール確認手段と、
上記送達確認メール確認手段が送達確認のための電子メールであると検出した電子メールは、その電子メールのＦｒｏｍアドレスに送信者個人のメールアドレスが設定されているかどうかを調べるとともに、その電子メールの内容に、転送エラーにかかる所定の内容が含まれているかどうかを調べ、その電子メールの内容に上記転送エラーにかかる所定の内容が含まれている場合で、かつ、その電子メールのＦｒｏｍアドレスに送信者個人のメールアドレスが設定されている場合には、その電子メールのＦｒｏｍアドレスのメールアドレスと、上記送達通知先記憶手段に記憶されている送達通知先メールアドレスの両方へその電子メールを転送し、その電子メールの内容に上記転送エラーにかかる所定の内容が含まれている場合で、かつ、その電子メールのＦｒｏｍアドレスに送信者個人のメールアドレスが設定されていない場合には、上記送達通知先記憶手段に記憶されている送達通知先メールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されている場合には、その電子メールのＦｒｏｍアドレスのメールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されていない場合には、上記送達通知先記憶手段に記憶されている送達通知先メールアドレスへその電子メールを転送する送達確認メール転送手段を備えたことを特徴とするネットワークファクシミリ装置。
【請求項５】
前記送達確認メール転送手段の前記電子メール転送動作を有効または無効にする設定手段をさらに備えたことを特徴とする請求項１または請求項２または請求項３または請求項４記載のネットワークファクシミリ装置。
【請求項６】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、
送達通知先メールアドレスを記憶する送達通知先記憶手段と、
電子メール受信時、その受信した電子メールが送達確認のための電子メールであることを検出する送達確認メール確認手段と、
上記送達確認メール確認手段が送達確認のための電子メールであると検出した電子メールの内容に、転送エラーにかかる所定の内容が含まれているかどうかを調べ、その電子メールに上記転送エラーにかかる所定の内容が含まれている場合には、上記送達通知先記憶手段に記憶されている送達通知先メールアドレスへ、その電子メールを転送するとともに、その電子メールの内容を可視出力する送達確認メール処理手段とを備えたことを特徴とするネットワークファクシミリ装置。
【請求項７】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、
送達通知先メールアドレスを記憶する送達通知先記憶手段と、
電子メール受信時、その受信した電子メールが送達確認のための電子メールであることを検出する送達確認メール確認手段と、
上記送達確認メール確認手段が送達確認のための電子メールであると検出した電子メールは、その電子メールのＦｒｏｍアドレスに送信者個人のメールアドレスが設定されているかどうかを調べるとともに、その電子メールの内容に、転送エラーにかかる所定の内容が含まれているかどうかを調べ、その電子メールの内容に上記転送エラーにかかる所定の内容が含まれている場合には、その電子メールの内容を可視出力する一方、その電子メールの内容に上記転送エラーにかかる所定の内容が含まれている場合で、かつ、その電子メールのＦｒｏｍアドレスに送信者個人のメールアドレスが設定されている場合には、その電子メールのＦｒｏｍアドレスのメールアドレスと、上記送達通知先記憶手段に記憶されている送達通知先メールアドレスの両方へその電子メールを転送し、その電子メールの内容に上記転送エラーにかかる所定の内容が含まれていない場合で、かつ、その電子メールのＦｒｏｍアドレスに送信者個人のメールアドレスが設定されている場合には、その電子メールのＦｒｏｍアドレスのメールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されていない場合には、上記送達通知先記憶手段に記憶されている送達通知先メールアドレスへその電子メールを転送する送達確認メール処理手段を備えたことを特徴とするネットワークファクシミリ装置。
【請求項８】
前記送達確認メール処理手段の前記電子メール転送動作を有効または無効にする第１の設定手段と、
上記送達確認メール処理手段の前記電子メールの可視表示を有効または無効にする第２の設定手段をさらに備えたことを特徴とする請求項６または請求項７記載のネットワークファクシミリ装置。
【請求項９】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、
送達通知先メールアドレスを記憶する送達通知先記憶手段を備え、
電子メール受信時、その受信した電子メールが送達確認のための電子メールであると検出した場合には、上記送達通知先記憶手段に記憶されている送達通知先メールアドレスへ、その電子メールを転送することを特徴とするネットワークファクシミリ装置の制御方法。
【請求項１０】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、
送達通知先メールアドレスを記憶する送達通知先記憶手段を備え、
電子メール受信時、その受信した電子メールが送達確認のための電子メールであると検出したとき、その電子メールのＦｒｏｍアドレスに送信者個人のメールアドレスが設定されている場合には、そのＦｒｏｍアドレスのメールアドレスへその電子メールを転送する一方、その電子メールのＦｒｏｍアドレスに送信者個人のメールアドレスが設定されていない場合には、上記送達通知先記憶手段に記憶されている送達通知先メールアドレスへその電子メールを転送することを特徴とするネットワークファクシミリ装置の制御方法。
【請求項１１】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、
送達通知先メールアドレスを記憶する送達通知先記憶手段を備え、
電子メール受信時、その受信した電子メールが送達確認のための電子メールであると検出したとき、その電子メールの内容に、転送エラーにかかる所定の内容が含まれているかどうかを調べ、その電子メールに上記転送エラーにかかる所定の内容が含まれている場合には、上記送達通知先記憶手段に記憶されている送達通知先メールアドレスへ、その電子メールを転送することを特徴とするネットワークファクシミリ装置の制御方法。
【請求項１２】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、
送達通知先メールアドレスを記憶する送達通知先記憶手段を備え、
電子メール受信時、その受信した電子メールが送達確認のための電子メールであると検出したときには、その電子メールのＦｒｏｍアドレスに送信者個人のメールアドレスが設定されているかどうかを調べるとともに、その電子メールの内容に、転送エラーにかかる所定の内容が含まれているかどうかを調べ、その電子メールの内容に上記転送エラーにかかる所定の内容が含まれている場合で、かつ、その電子メールのＦｒｏｍアドレスに送信者個人のメールアドレスが設定されている場合には、その電子メールのＦｒｏｍアドレスのメールアドレスと、上記送達通知先記憶手段に記憶されている送達通知先メールアドレスの両方へその電子メールを転送し、その電子メールの内容に上記転送エラーにかかる所定の内容が含まれている場合で、かつ、その電子メールのＦｒｏｍアドレスに送信者個人のメールアドレスが設定されていない場合には、上記送達通知先記憶手段に記憶されている送達通知先メールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されている場合には、その電子メールのＦｒｏｍアドレスのメールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されていない場合には、上記送達通知先記憶手段に記憶されている送達通知先メールアドレスへその電子メールを転送することを特徴とするネットワークファクシミリ装置の制御方法。
【請求項１３】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、
送達通知先メールアドレスを記憶する送達通知先記憶手段を備え、
電子メール受信時、その受信した電子メールが送達確認のための電子メールであると検出したとき、その電子メールの内容に、転送エラーにかかる所定の内容が含まれているかどうかを調べ、その電子メールに上記転送エラーにかかる所定の内容が含まれている場合には、上記送達通知先記憶手段に記憶されている送達通知先メールアドレスへ、その電子メールを転送するとともに、その電子メールの内容を可視出力することを特徴とするネットワークファクシミリ装置の制御方法。
【請求項１４】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、
送達通知先メールアドレスを記憶する送達通知先記憶手段を備え、
電子メール受信時、その受信した電子メールが送達確認のための電子メールであると検出したとき、その電子メールのＦｒｏｍアドレスに送信者個人のメールアドレスが設定されているかどうかを調べるとともに、その電子メールの内容に、転送エラーにかかる所定の内容が含まれているかどうかを調べ、その電子メールの内容に上記転送エラーにかかる所定の内容が含まれている場合には、その電子メールの内容を可視出力する一方、その電子メールの内容に上記転送エラーにかかる所定の内容が含まれている場合で、かつ、その電子メールのＦｒｏｍアドレスに送信者個人のメールアドレスが設定されている場合には、その電子メールのＦｒｏｍアドレスのメールアドレスと、上記送達通知先記憶手段に記憶されている送達通知先メールアドレスの両方へその電子メールを転送し、その電子メールの内容に上記転送エラーにかかる所定の内容が含まれている場合で、かつ、その電子メールのＦｒｏｍアドレスに送信者個人のメールアドレスが設定されていないる場合には、上記送達通知先記憶手段に記憶されている送達通知先メールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されている場合には、その電子メールのＦｒｏｍアドレスのメールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されていない場合には、上記送達通知先記憶手段に記憶されている送達通知先メールアドレスへその電子メールを転送することを特徴とするネットワークファクシミリ装置の制御方法。
【請求項１５】
インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、
電子メール受信時、その受信した電子メールが送達確認のための電子メールであると検出した場合には、その電子メールの内容に、転送エラーにかかる所定の内容が含まれているかどうかを調べ、その電子メールの内容に上記転送エラーにかかる所定の内容が含まれている場合には、その電子メールの内容を可視出力することを特徴とするネットワークファクシミリ装置の制御方法。
【発明の詳細な説明】
【０００１】
【発明の属する技術分野】
本発明は、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置およびその制御方法に関する。
【０００２】
【従来の技術】
近年、インターネット上でやりとりする電子メールを用いて、ファクシミリ画情報を通信するネットワークファクシミリ装置が実用されるようになってきている。このようなネットワークファクシミリ装置で使用される通信プロトコルなどについては、ＩＥＴＦ（Ｉｎｔｅｒｎｅｔ  Ｅｎｇｉｎｅｅｒｉｎｇ  ＴａｓｋＦｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）２３０１〜２３０６により、その技術内容が規定されている。
【０００３】
一方、インターネットにおいては、電子メールが目的の宛先へ配送されなかったか否かを確認できるための仕組みとして、送達確認のための電子メール（以下、「送達確認メールという」）を配送するシステムが、電子メールシステムの拡張機能として実現されている。この送達確認メールでは、電子メールが宛先のメールアドレスへ送信された場合、および、送信されなかった場合のいずれの場合でも作成されて、送信元メールアドレスへと通知される。
【０００４】
ここで、上述したネットワークファクシミリ装置では、画情報を運ぶ電子メールが宛先へ配送されたかを確実に知る手段がないため、画情報の送達確認を、この送達確認メールを利用して行うことが考えられる。
【０００５】
【発明が解決しようとする課題】
ところが、送達確認メールの宛先メールアドレスは、この場合ネットワークファクシミリ装置自身となる。通常、ネットワークファクシミリ装置は、自端末宛の電子メールを受信すると、自端末でローカル処理するため、送達確認メールを受信した場合、ネットワークファクシミリ装置は、その送達確認メールの内容を記録出力する。
【０００６】
このようにして、全ての送達確認メールの内容を記録出力したのでは、記録紙が無駄に消費されるという事態を生じる。
【０００７】
本発明は、かかる実情に鑑みてなされたものであり、送達確認メールを適切に処理することができるネットワークファクシミリ装置およびその制御方法を提供することを目的としている。
【０００８】
【課題を解決するための手段】
本発明は、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、送達通知先メールアドレスを記憶する送達通知先記憶手段と、電子メール受信時、その受信した電子メールが送達確認のための電子メールであることを検出する送達確認メール確認手段と、上記送達確認メール確認手段が送達確認のための電子メールであると検出した電子メールは、上記送達通知先記憶手段に記憶されている送達通知先メールアドレスへ転送する送達確認メール転送手段を備えたものである。
【０００９】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、送達通知先メールアドレスを記憶する送達通知先記憶手段と、電子メール受信時、その受信した電子メールが送達確認のための電子メールであることを検出する送達確認メール確認手段と、上記送達確認メール確認手段が送達確認のための電子メールであると検出した電子メールについて、その電子メールのＦｒｏｍアドレスに送信者個人のメールアドレスが設定されている場合には、そのＦｒｏｍアドレスのメールアドレスへその電子メールを転送する一方、その電子メールのＦｒｏｍアドレスに送信者個人のメールアドレスが設定されていない場合には、上記送達通知先記憶手段に記憶されている送達通知先メールアドレスへその電子メールを転送する送達確認メール転送手段を備えたものである。
【００１０】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、送達通知先メールアドレスを記憶する送達通知先記憶手段と、電子メール受信時、その受信した電子メールが送達確認のための電子メールであることを検出する送達確認メール確認手段と、上記送達確認メール確認手段が送達確認のための電子メールであると検出した電子メールの内容に、転送エラーにかかる所定の内容が含まれているかどうかを調べ、その電子メールに上記転送エラーにかかる所定の内容が含まれている場合には、上記送達通知先記憶手段に記憶されている送達通知先メールアドレスへ、その電子メールを転送する送達確認メール転送手段を備えたものである。
【００１１】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、送達通知先メールアドレスを記憶する送達通知先記憶手段と、電子メール受信時、その受信した電子メールが送達確認のための電子メールであることを検出する送達確認メール確認手段と、上記送達確認メール確認手段が送達確認のための電子メールであると検出した電子メールは、その電子メールのＦｒｏｍアドレスに送信者個人のメールアドレスが設定されているかどうかを調べるとともに、その電子メールの内容に、転送エラーにかかる所定の内容が含まれているかどうかを調べ、その電子メールの内容に上記転送エラーにかかる所定の内容が含まれている場合で、かつ、その電子メールのＦｒｏｍアドレスに送信者個人のメールアドレスが設定されている場合には、その電子メールのＦｒｏｍアドレスのメールアドレスと、上記送達通知先記憶手段に記憶されている送達通知先メールアドレスの両方へその電子メールを転送し、その電子メールの内容に上記転送エラーにかかる所定の内容が含まれている場合で、かつ、その電子メールのＦｒｏｍアドレスに送信者個人のメールアドレスが設定されていない場合には、上記送達通知先記憶手段に記憶されている送達通知先メールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されている場合には、その電子メールのＦｒｏｍアドレスのメールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されていない場合には、上記送達通知先記憶手段に記憶されている送達通知先メールアドレスへその電子メールを転送する送達確認メール転送手段を備えたものである。
【００１２】
また、前記送達確認メール転送手段の前記電子メール転送動作を有効または無効にする設定手段をさらに備えるとよい。
【００１３】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、送達通知先メールアドレスを記憶する送達通知先記憶手段と、電子メール受信時、その受信した電子メールが送達確認のための電子メールであることを検出する送達確認メール確認手段と、上記送達確認メール確認手段が送達確認のための電子メールであると検出した電子メールの内容に、転送エラーにかかる所定の内容が含まれているかどうかを調べ、その電子メールに上記転送エラーにかかる所定の内容が含まれている場合には、上記送達通知先記憶手段に記憶されている送達通知先メールアドレスへ、その電子メールを転送するとともに、その電子メールの内容を可視出力する送達確認メール処理手段を備えたものである。
【００１４】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置において、送達通知先メールアドレスを記憶する送達通知先記憶手段と、電子メール受信時、その受信した電子メールが送達確認のための電子メールであることを検出する送達確認メール確認手段と、上記送達確認メール確認手段が送達確認のための電子メールであると検出した電子メールは、その電子メールのＦｒｏｍアドレスに送信者個人のメールアドレスが設定されているかどうかを調べるとともに、その電子メールの内容に、転送エラーにかかる所定の内容が含まれているかどうかを調べ、その電子メールの内容に上記転送エラーにかかる所定の内容が含まれている場合には、その電子メールの内容を可視出力する一方、その電子メールの内容に上記転送エラーにかかる所定の内容が含まれている場合で、かつ、その電子メールのＦｒｏｍアドレスに送信者個人のメールアドレスが設定されている場合には、その電子メールのＦｒｏｍアドレスのメールアドレスと、上記送達通知先記憶手段に記憶されている送達通知先メールアドレスの両方へその電子メールを転送し、その電子メールの内容に上記転送エラーにかかる所定の内容が含まれていない場合で、かつ、その電子メールのＦｒｏｍアドレスに送信者個人のメールアドレスが設定されている場合には、その電子メールのＦｒｏｍアドレスのメールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されていない場合には、上記送達通知先記憶手段に記憶されている送達通知先メールアドレスへその電子メールを転送する送達確認メール処理手段を備えたものである。
【００１５】
また、前記送達確認メール処理手段の前記電子メール転送動作を有効または無効にする第１の設定手段と、上記送達確認メール処理手段の前記電子メールの可視表示を有効または無効にする第２の設定手段をさらに備えたものである。
【００１６】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、送達通知先メールアドレスを記憶する送達通知先記憶手段を備え、電子メール受信時、その受信した電子メールが送達確認のための電子メールであると検出した場合には、上記送達通知先記憶手段に記憶されている送達通知先メールアドレスへ、その電子メールを転送するようにしたものである。
【００１７】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、送達通知先メールアドレスを記憶する送達通知先記憶手段を備え、電子メール受信時、その受信した電子メールが送達確認のための電子メールであると検出したとき、その電子メールのＦｒｏｍアドレスに送信者個人のメールアドレスが設定されている場合には、そのＦｒｏｍアドレスのメールアドレスへその電子メールを転送する一方、その電子メールのＦｒｏｍアドレスに送信者個人のメールアドレスが設定されていない場合には、上記送達通知先記憶手段に記憶されている送達通知先メールアドレスへその電子メールを転送するようにしたものである。
【００１８】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、送達通知先メールアドレスを記憶する送達通知先記憶手段を備え、電子メール受信時、その受信した電子メールが送達確認のための電子メールであると検出したとき、その電子メールの内容に、転送エラーにかかる所定の内容が含まれているかどうかを調べ、その電子メールに上記転送エラーにかかる所定の内容が含まれている場合には、上記送達通知先記憶手段に記憶されている送達通知先メールアドレスへ、その電子メールを転送するようにしたものである。
【００１９】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、送達通知先メールアドレスを記憶する送達通知先記憶手段を備え、電子メール受信時、その受信した電子メールが送達確認のための電子メールであると検出したときには、その電子メールのＦｒｏｍアドレスに送信者個人のメールアドレスが設定されているかどうかを調べるとともに、その電子メールの内容に、転送エラーにかかる所定の内容が含まれているかどうかを調べ、その電子メールの内容に上記転送エラーにかかる所定の内容が含まれている場合で、かつ、その電子メールのＦｒｏｍアドレスに送信者個人のメールアドレスが設定されている場合には、その電子メールのＦｒｏｍアドレスのメールアドレスと、上記送達通知先記憶手段に記憶されている送達通知先メールアドレスの両方へその電子メールを転送し、その電子メールの内容に上記転送エラーにかかる所定の内容が含まれている場合で、かつ、その電子メールのＦｒｏｍアドレスに送信者個人のメールアドレスが設定されていない場合には、上記送達通知先記憶手段に記憶されている送達通知先メールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されている場合には、その電子メールのＦｒｏｍアドレスのメールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されていない場合には、上記送達通知先記憶手段に記憶されている送達通知先メールアドレスへその電子メールを転送するようにしたものである。
【００２０】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、送達通知先メールアドレスを記憶する送達通知先記憶手段を備え、電子メール受信時、その受信した電子メールが送達確認のための電子メールであると検出したとき、その電子メールの内容に、転送エラーにかかる所定の内容が含まれているかどうかを調べ、その電子メールに上記転送エラーにかかる所定の内容が含まれている場合には、上記送達通知先記憶手段に記憶されている送達通知先メールアドレスへ、その電子メールを転送するとともに、その電子メールの内容を可視出力するようにしたものである。
【００２１】
また、インターネットまたはローカルエリアネットワークに接続し、電子メールを用い、インターネットまたはローカルエリアネットワークを介して画情報をやりとりする機能と、ファクシミリ装置機能を備えたネットワークファクシミリ装置の制御方法において、送達通知先メールアドレスを記憶する送達通知先記憶手段を備え、電子メール受信時、その受信した電子メールが送達確認のための電子メールであると検出したとき、その電子メールのＦｒｏｍアドレスに送信者個人のメールアドレスが設定されているかどうかを調べるとともに、その電子メールの内容に、転送エラーにかかる所定の内容が含まれているかどうかを調べ、その電子メールの内容に上記転送エラーにかかる所定の内容が含まれている場合には、その電子メールの内容を可視出力する一方、その電子メールの内容に上記転送エラーにかかる所定の内容が含まれている場合で、かつ、その電子メールのＦｒｏｍアドレスに送信者個人のメールアドレスが設定されている場合には、その電子メールのＦｒｏｍアドレスのメールアドレスと、上記送達通知先記憶手段に記憶されている送達通知先メールアドレスの両方へその電子メールを転送し、その電子メールの内容に上記転送エラーにかかる所定の内容が含まれている場合で、かつ、その電子メールのＦｒｏｍアドレスに送信者個人のメールアドレスが設定されていないる場合には、上記送達通知先記憶手段に記憶されている送達通知先メールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されている場合には、その電子メールのＦｒｏｍアドレスのメールアドレスへその電子メールを転送し、その電子メールの内容に上記転送エラーにかかる所定の内容が含まれていない場合で、かつ、その電子メールのＦｒｏｍアドレスに送信者個人のメールアドレスが設定されていない場合には、上記送達通知先記憶手段に記憶されている送達通知先メールアドレスへその電子メールを転送するようにしたものである。
【００２２】
【発明の実施の形態】
以下、添付図面を参照しながら、本発明の実施の形態を詳細に説明する。
【００２３】
図１は、本発明の一実施例にかかるネットワークシステムを示している。
【００２４】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されている。また、ローカルエリアネットワークＬＡＮは、ルータ装置ＲＴを介して、インターネットへと接続され、他のローカルエリアネットワーク等に接続されているホスト装置等との間で種々のデータのやりとりが可能である。
【００２５】
ここで、メールサーバ装置ＳＭは、ローカルエリアネットワークＬＡＮに接続されているワークステーション装置ＷＳ１〜ＷＳｎを利用するユーザ、および、ネットワークファクシミリ装置ＦＸに対して、電子メール（後述）の収集および配布のサービスを提供するものである。
【００２６】
また、ワークステーション装置ＷＳ１〜ＷＳｎには、ローカルエリアネットワークＬＡＮを介して種々のデータのやりとりを行うアプリケーションソフトウェア（電子メールの送受信処理等）や、ネットワークファクシミリ装置ＦＸより受信した電子メールに含まれる画情報を処理するアプリケーションソフトウェアなどの種々のプログラムが導入されており、特定のユーザにより使用されるものである。ここで、特定のユーザは、一人または複数人のユーザであってよい。
【００２７】
また、ネットワークファクシミリ装置ＦＸは、ローカルエリアネットワークＬＡＮにおける電子メールの送受信機能、ローカルエリアネットワークＬＡＮに接続されたワークステーション装置ＷＳ１〜ＷＳｎとの間の所定のポイント・ツー・ポイント伝送手順による所定の情報通信の機能、および、公衆網（ＰＳＴＮ）に接続し、この公衆網を伝送路として用いてグループ３ファクシミリ伝送手順による画情報伝送を行う伝送機能などの種々の伝送（通信）機能を備えている。また、ネットワークファクシミリ装置ＦＸからワークステーション装置ＷＳ１〜ＷＳｎ（のユーザ）へのファクシミリ画情報の送信（配信）は、電子メールを用いて行われる。
【００２８】
さて、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２９】
また、各端末がメールサーバ装置ＳＭに対して、ユーザ宛の電子メールの受信確認や送信要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３０】
また、ＴＣＰ／ＩＰ，ＳＭＴＰ，ＰＯＰなどの通信プロトコル、および、電子メールのデータ形式やデータ構造などについては、それぞれＲＦＣ（Ｒｅｑｕｅｓｔ  Ｆｏｒ  Ｃｏｍｍｅｎｔｓ）文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。また、ネットワークファクシミリ装置ＦＸが利用する電子メールの形式は、ＲＦＣ２３０５に規定されている。また、ネットワークファクシミリ装置ＦＸについての他の技術については、ＲＦＣ２３０１〜２３０４，２３０６にも規定されている。
【００３１】
そして、ネットワークファクシミリ装置ＦＸは、読み取った原稿画像を公衆網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザへ送信するとともに、公衆網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより受信した画情報を、指定された短縮ダイアルに対応した公衆網ＰＳＴＮのグループ３ファクシミリ装置へ転送する転送サービス機能等を備えている。
【００３２】
また、自端末宛に受信した電子メールについては、本文情報に配置される画情報を取り出して、記録出力するようにしている。
【００３３】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００３４】
図２は、ネットワークファクシミリ装置ＦＸの構成例を示している。
【００３５】
同図において、システム制御部１は、このネットワークファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、例えば、管理者のメールアドレス（以下、「管理者メールアドレス」という）など、このネットワークファクシミリ装置に固有な各種の情報を記憶するためのものであり、時計回路４は、現在時刻情報を出力するものである。
【００３６】
スキャナ５は、所定の解像度で原稿画像を読み取るためのものであり、プロッタ６は、所定の解像度で画像を記録出力するためのものであり、操作表示部７は、このネットワークファクシミリ装置を操作するためのもので、各種の操作キー、および、各種の表示器からなる。
【００３７】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３８】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３９】
網制御装置１１は、このファクシミリ装置を公衆網（ＰＳＴＮ）に接続するためのものであり、自動発着信機能を備えている。
【００４０】
ローカルエリアネットワークインターフェース回路１２は、このインターネットファクシミリ装置をローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理（電子メール送受信処理やポイント・ツー・ポイント通信処理等）を実行するためのものである。
【００４１】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００４２】
また、網制御装置１１とグループ３ファクシミリモデム１０との間のデータのやりとりは、直接行なわれている。
【００４３】
さて、上述したように、インターネットにおいては、電子メールが目的の宛先へ配送されなかったか否かを確認できるための仕組みとして、送達確認メールを配送するシステムが、電子メールシステムの拡張機能として実現されている。
【００４４】
これらの送達確認メールのシステムとしては、ＲＦＣ１８９１，１８９４で規定されているＤＳＮ（Ｄｅｌｉｖｅｒｙ  Ｓｔａｔｕｓ  Ｎｏｔｉｆｉｃａｔｉｏｎ）、あるいは、ＲＦＣ２２９８で規定されているＭＤＮ（Ｍｅｓｓａｇｅ  Ｄｅｌｉｖｅｒｙ  Ｎｏｔｉｆｉｃａｔｉｏｎ）が実用されている。
【００４５】
ここで、一般に、ＤＳＮは、メールサーバまでの送達確認のために用いられ、また、ＭＤＮは、受信端末までの送達確認のために用いられる。したがって、ＤＳＮの機能は、通常メールサーバ装置ＳＭに搭載され、また、ＭＤＮの機能は、端末であるネットワークファクシミリ装置ＦＸに搭載される。
【００４６】
図３は、ＤＳＮが適用される場合において、メールボックスまでの送信が失敗したときに、宛先のメールボックスが準備されているメールサーバから、送信元へと返送される送達確認メールの一例を示している。なお、図３の電子メールは、ＲＦＣ１８９４にサンプルとして掲載されているものである。
【００４７】
また、図４は、ＭＤＮが適用される場合において、送信が成功したときに、宛先のネットワークファクシミリ装置から送信元のネットワークファクシミリ装置に対して送信される送達確認メールの一例を示している。なお、図４の電子メールは、ＲＦＣ２２９８にサンプルとして掲載されているものである。
【００４８】
このようにして、ＤＳＮの送達確認メールおよびＭＤＮの送達か訓電しメールのいずれもが、ヘッダ情報に「Ｃｏｎｔｅｎｔ−Ｔｙｐｅ：  ｍｕｌｔｉｐａｒｔ／ｒｅｐｏｒｔ」というフィールドが含まれる。
【００４９】
したがって、本実施例では、ネットワークファクシミリ装置ＦＸは、電子メールの受信時、受信した電子メールのヘッダ情報に、「Ｃｏｎｔｅｎｔ−Ｔｙｐｅ：  ｍｕｌｔｉｐａｒｔ／ｒｅｐｏｒｔ」フィールドが含まれているかどうかを調べ、この「Ｃｏｎｔｅｎｔ−Ｔｙｐｅ：  ｍｕｌｔｉｐａｒｔ／ｒｅｐｏｒｔ」フィールドが含まれていれば、その電子メールが送達確認メールであると認識することができる。
【００５０】
そして、ネットワークファクシミリ装置ＦＸは、送達確認メールを受信すると、その送達確認メールを、あらかじめ登録されている管理者メールアドレスへと転送する。
【００５１】
それにより、このネットワークファクシミリ装置ＦＸの管理者は、ネットワークファクシミリ装置ＦＸが送信した電子メールが、目的のメールアドレスへ送達されたか、あるいは、送達されなかったかを明確に知ることができ、その送達結果に対応した処置（例えば、同一画情報の再送動作など）を迅速に行うことができるようになり、ネットワークファクシミリ装置ＦＸの使い勝手が大幅に向上する。
【００５２】
図５は、この場合に、電子メールを受信した際にネットワークファクシミリ装置ＦＸが実行する処理の一例を示している。
【００５３】
電子メールを受信すると、まず、そのヘッダ情報に「Ｃｏｎｔｅｎｔ−Ｔｙｐｅ：  ｍｕｌｔｉｐａｒｔ／ｒｅｐｏｒｔ」フィールドが含まれているかどうかを調べる（判断１０１）。
【００５４】
ヘッダ情報に「Ｃｏｎｔｅｎｔ−Ｔｙｐｅ：  ｍｕｌｔｉｐａｒｔ／ｒｅｐｏｒｔ」フィールドが含まれていない場合で、判断１０１の結果がＮＯになるときには、受信した電子メールは送達確認メールではないので、その受信した電子メールの内容を記録出力する通常のメール受信処理を実行し（処理１０２）、この動作を終了する。
【００５５】
一方、ヘッダ情報に「Ｃｏｎｔｅｎｔ−Ｔｙｐｅ：  ｍｕｌｔｉｐａｒｔ／ｒｅｐｏｒｔ」フィールドが含まれている場合で、判断１０１の結果がＹＥＳになるときには、受信した電子メールは送達確認メールであるので、あらかじめ登録されている管理者メールアドレスへ、その受信した電子メールを転送して（処理１０３）、この動作を終了する。
【００５６】
ところで、送達確認メールは、マルチパートＭＩＭＥ形式の電子メールであり、その１つのパートには、［ｏｒｉｇｉｎａｒｌ  ｍｅｓｓａｇｅ  ｇｏｅｓ  ｔｏ  ｈｅｒｅ］とあるように、オリジナルメッセージが配置される場合がある。以下、このようなオリジナルメッセージが配置されるパートを、パート内容の識別表示に「ｃｏｎｔｅｎｔ−ｔｙｐｅ：  ｍｅｓｓａｇｅ／ｒｆｃ８２２」とあることから、ＲＦＣ８２２パートという。
【００５７】
このようなＲＦＣ８２２パートが含まれると、その内容には、元の電子メールのヘッダ情報が含まれ、したがって、元の電子メールのＦｒｏｍアドレスも含まれる。
【００５８】
ここで、ユーザがこのネットワークファクシミリ装置ＦＸを直接操作して、電子メールを使用した画情報送信を行った場合、この元の電子メールのＦｒｏｍアドレスには、元の電子メールの送信者個人のメールアドレスが配置される。したがって、この場合、送達確認メールをその送信者個人のメールアドレスへ転送すれば、送信者自身が、自分が設定した画情報送信の結果を知ることができ、非常に便利である。
【００５９】
また、受信した送達確認メールに、送信者個人のメールアドレスが含まれていない場合には、あらかじめ登録されている管理者メールアドレスへ、送達確認メールを転送することで、送達確認結果を、いずれかのユーザに提示することができる。
【００６０】
図６は、この場合に、電子メールを受信した際にネットワークファクシミリ装置ＦＸが実行する処理の一例を示している。
【００６１】
電子メールを受信すると、まず、そのヘッダ情報に「Ｃｏｎｔｅｎｔ−Ｔｙｐｅ：  ｍｕｌｔｉｐａｒｔ／ｒｅｐｏｒｔ」フィールドが含まれているかどうかを調べる（判断２０１）。
【００６２】
ヘッダ情報に「Ｃｏｎｔｅｎｔ−Ｔｙｐｅ：  ｍｕｌｔｉｐａｒｔ／ｒｅｐｏｒｔ」フィールドが含まれていない場合で、判断２０１の結果がＮＯになるときには、受信した電子メールは送達確認メールではないので、その受信した電子メールの内容を記録出力する通常のメール受信処理を実行し（処理２０２）、この動作を終了する。
【００６３】
一方、ヘッダ情報に「Ｃｏｎｔｅｎｔ−Ｔｙｐｅ：  ｍｕｌｔｉｐａｒｔ／ｒｅｐｏｒｔ」フィールドが含まれている場合で、判断２０１の結果がＹＥＳになるときには、受信した電子メールは送達確認メールである。そこで、ＲＦＣ８２２パートが含まれているかどうかを調べ（判断２０３）、判断２０３の結果がＹＥＳになるときには、そのＲＦＣ８２２パートにＦｒｏｍアドレスが含まれているかどうかを調べ（判断２０４）、判断２０４の結果がＹＥＳになるときには、そのＦｒｏｍアドレスが自端末に設定されている装置アドレスであるかどうかを調べる（判断２０５）。
【００６４】
判断２０５の結果がＮＯになるときには、ＲＦＣ８２２パートに含まれるＦｒｏｍアドレスは、送信者個人のメールアドレスであるので、この場合には、そのＦｒｏｍアドレスへ、その受信した電子メールを転送して（処理２０６）、この動作を終了する。
【００６５】
それに対し、判断２０５の結果がＹＥＳになるときは、ＲＦＣ８２２のパートに含まれるＦｒｏｍアドレスは自端末のメールアドレスであり、この場合には、あらかじめ登録されている管理者メールアドレスへ、その受信した電子メールを転送して（処理２０７）、この動作を終了する。
【００６６】
また、判断２０４の結果がＮＯになるとき、あるいは、判断２０３の結果がＮＯになるときには、有効なＦｒｏｍアドレスが含まれていない場合なので、処理２０７へ移行し、あらかじめ登録されている管理者メールアドレスへ、その受信した電子メールを転送して、この動作を終了する。
【００６７】
なお、ユーザがこのネットワークファクシミリ装置ＦＸを直接操作して、電子メールを使用した画情報送信を行う場合、図７に示すように、送信原稿をスキャナ５にセットし（ステップ３０１）、操作表示部７より送信メールの宛先情報を入力し（ステップ３０２）、ポーズキーを入力し（ステップ３０３）、送信者メールアドレス（自分のメールアドレス）を入力して（ステップ３０４）、スタートキーを入力し（ステップ３０５）、送信動作を開始させる。
【００６８】
さて、ＤＳＮおよびＭＤＮでは、メッセージ内容自体は定義していないが、送達失敗している場合には、「Ｆａｉｌ」、「Ｆａｉｌｅｄ」、「Ｅｒｒｏｒ」、「Ｔｉｍｅｄ  ｏｕｔ」など、送達失敗をあらわすような語句が予約語的に用いられている。
【００６９】
そこで、送達確認メールの本文のうち、ＲＦＣ８２２パートがでてくる前の範囲で、これらの予約語が出てくるかどうかを検索し、いずれかの予約語を見つけた場合、その送達確認メールは送達失敗をあらわすものであると判断することができる。
【００７０】
そして、送達失敗の場合には、その送達確認メールを送信元ユーザまたは管理者へ転送し、指定された画情報送信が失敗した旨を通知することで、送信元ユーザまたは管理者は、画情報送信が失敗した旨を確認することができ、それに対する適切な処置を、迅速に取ることができる。
【００７１】
図８は、この場合に、電子メールを受信した際にネットワークファクシミリ装置ＦＸが実行する処理の一例を示している。
【００７２】
電子メールを受信すると、まず、そのヘッダ情報に「Ｃｏｎｔｅｎｔ−Ｔｙｐｅ：  ｍｕｌｔｉｐａｒｔ／ｒｅｐｏｒｔ」フィールドが含まれているかどうかを調べる（判断４０１）。
【００７３】
ヘッダ情報に「Ｃｏｎｔｅｎｔ−Ｔｙｐｅ：  ｍｕｌｔｉｐａｒｔ／ｒｅｐｏｒｔ」フィールドが含まれていない場合で、判断４０１の結果がＮＯになるときには、受信した電子メールは送達確認メールではないので、その受信した電子メールの内容を記録出力する通常のメール受信処理を実行し（処理４０２）、この動作を終了する。
【００７４】
一方、ヘッダ情報に「Ｃｏｎｔｅｎｔ−Ｔｙｐｅ：  ｍｕｌｔｉｐａｒｔ／ｒｅｐｏｒｔ」フィールドが含まれている場合で、判断４０１の結果がＹＥＳになるときには、受信した電子メールは送達確認メールである。そこで、その電子メールの本文の内容に、上述したような予約語を検出できるかどうかを調べる（判断４０３）。
【００７５】
ここで、判断４０３の結果がＹＥＳになるときには、その受信した送達確認メールが、送達失敗を通知するものである。そこで、次に、その送達確認メールにＲＦＣ８２２パートが含まれているかどうかを調べ（判断４０４）、判断４０４の結果がＹＥＳになるときには、そのＲＦＣ８２２パートにＦｒｏｍアドレスが含まれているかどうかを調べ（判断４０５）、判断４０５の結果がＹＥＳになるときには、そのＦｒｏｍアドレスが自端末に設定されている装置アドレスであるかどうかを調べる（判断４０６）。
【００７６】
判断４０６の結果がＮＯになるときには、ＲＦＣ８２２パートに含まれるＦｒｏｍアドレスは、送信者個人のメールアドレスであるので、この場合には、そのＦｒｏｍアドレスへ、その受信した電子メールを転送して（処理４０７）、この動作を終了する。
【００７７】
それに対し、判断４０６の結果がＹＥＳになるときは、ＲＦＣ８２２のパートに含まれるＦｒｏｍアドレスは自端末のメールアドレスであり、この場合には、あらかじめ登録されている管理者メールアドレスへ、その受信した電子メールを転送して（処理４０８）、この動作を終了する。
【００７８】
また、判断４０５の結果がＮＯになるとき、あるいは、判断４０４の結果がＮＯになるときには、有効なＦｒｏｍアドレスが含まれていない場合なので、処理４０８へ移行し、あらかじめ登録されている管理者メールアドレスへ、その受信した電子メールを転送して、この動作を終了する。
【００７９】
一方、受信した送達確認メールの本文の内容に、上述したような予約語を検出できなかった場合で、判断４０３の結果がＮＯになるときには、画情報送信にかかる電子メールが宛先ユーザへ適切に送達された場合である。従って、この場合には、その受信した電子メールを廃棄して（処理４０９）、この動作を終了する。
【００８０】
なお、判断４０３の結果がＮＯになるとき、登録された管理者に対して、送達確認メールを転送する動作も行うことができる。
【００８１】
図９は、電子メールを受信した際にネットワークファクシミリ装置ＦＸが実行する処理の他の例を示している。
【００８２】
電子メールを受信すると、まず、そのヘッダ情報に「Ｃｏｎｔｅｎｔ−Ｔｙｐｅ：  ｍｕｌｔｉｐａｒｔ／ｒｅｐｏｒｔ」フィールドが含まれているかどうかを調べる（判断５０１）。
【００８３】
ヘッダ情報に「Ｃｏｎｔｅｎｔ−Ｔｙｐｅ：  ｍｕｌｔｉｐａｒｔ／ｒｅｐｏｒｔ」フィールドが含まれている場合で、判断５０１の結果がＹＥＳになるときには、受信した電子メールは送達確認メールである。そこで、その電子メールの本文の内容に、上述したような予約語を検出できるかどうかを調べる（判断５０２）。
【００８４】
ここで、判断５０２の結果がＮＯになるときには、その受信した送達確認メールは、送達が成功した場合のものであり、特にユーザに提示する必要がない。そこで、この場合には、受信した送達確認メールを廃棄し（処理５０３）、この動作を終了する。
【００８５】
一方、判断５０２の結果がＹＥＳになるときには、その受信した送達確認メールは、送達失敗を通知するものである。そこで、この場合には、通常のメール受信処理を実行し、送達確認メールの内容を記録出力して（処理５０４）、この動作を終了する。
【００８６】
一方、ヘッダ情報に「Ｃｏｎｔｅｎｔ−Ｔｙｐｅ：  ｍｕｌｔｉｐａｒｔ／ｒｅｐｏｒｔ」フィールドが含まれていない場合で、判断５０１の結果がＮＯになるときには、受信した電子メールは送達確認メールではないので、処理５０４へ移行し、その受信した電子メールの内容を記録出力する通常のメール受信処理を実行して、この動作を終了する。
【００８７】
このようにして、本実施例では、送達確認メールを受信したとき、その内容が送達失敗をあらわすものである場合にのみ、送達確認メールを記録出力するので、無駄に記録紙が消費されるような事態を回避できるとともに、画情報送信が失敗した旨をユーザへ適切に通知することができることとなる。
【００８８】
ところで、送達確認メールを受信したときに、いずれかのユーザへ転送するかどうか、あるいは、記録出力するかどうかを、ネットワークファクシミリ装置ＦＸに登録して、送達確認メールを受信した際の動作をユーザが所望の太陽に設定することできる。
【００８９】
例えば、そのために、ネットワークファクシミリ装置ＦＸに図１０に示したような４つのスイッチ（ソフトスイッチまたはハードスイッチ）Ｓ１，Ｓ２，Ｓ３，Ｓ４を設け、ユーザが適宜にそれらのスイッチのオンオフを設定できるようにしておく。
【００９０】
そして、この場合、ネットワークファクシミリ装置は、電子メール受信時に、図１１に示すような処理を実行する。
【００９１】
電子メールを受信すると、まず、そのヘッダ情報に「Ｃｏｎｔｅｎｔ−Ｔｙｐｅ：  ｍｕｌｔｉｐａｒｔ／ｒｅｐｏｒｔ」フィールドが含まれているかどうかを調べる（判断６０１）。
【００９２】
ヘッダ情報に「Ｃｏｎｔｅｎｔ−Ｔｙｐｅ：  ｍｕｌｔｉｐａｒｔ／ｒｅｐｏｒｔ」フィールドが含まれていない場合で、判断６０１の結果がＮＯになるときには、受信した電子メールは送達確認メールではないので、その受信した電子メールの内容を記録出力する通常のメール受信処理を実行し（処理６０２）、この動作を終了する。
【００９３】
一方、ヘッダ情報に「Ｃｏｎｔｅｎｔ−Ｔｙｐｅ：  ｍｕｌｔｉｐａｒｔ／ｒｅｐｏｒｔ」フィールドが含まれている場合で、判断６０１の結果がＹＥＳになるときには、受信した電子メールは送達確認メールである。そこで、その電子メールの本文の内容に、上述したような予約語を検出できるかどうかを調べる（判断６０３）。
【００９４】
ここで、判断４０３の結果がＹＥＳになるときには、その受信した送達確認メールが、送達失敗を通知するものであるので、送達失敗をあらわすフラグＥＲをオンにセットする（処理６０４）。また、判断４０３の結果がＮＯになるときには、その受信した送達確認メールが、送達成功を通知するものであるので、送達失敗をあらわすフラグＥＲをオンにオフする（処理６０５）。
【００９５】
次に、その送達確認メールにＲＦＣ８２２パートのＦｒｏｍアドレスが含まれているかどうかを調べ（判断６０６）、判断６０６の結果がＹＥＳになるときには、そのＦｒｏｍアドレスが自端末に設定されている装置アドレスであるかどうかを調べる（判断６０７）。
【００９６】
判断６０７の結果がＮＯになるときには、ＲＦＣ８２２パートに含まれるＦｒｏｍアドレスは、送信者個人のメールアドレスであるので、この場合には、転送先にそのＦｒｏｍアドレスの値をセットする（処理６０９）。
【００９７】
また、判断６０７の結果がＹＥＳになるときは、ＲＦＣ８２２のパートに含まれるＦｒｏｍアドレスは自端末のメールアドレスであり、この場合には、転送先にあらかじめ登録されている管理者メールアドレスをセットする（処理６０８）。また、判断６０６の結果がＮＯになるときにも、処理６０８へ移行して、転送先にあらかじめ登録されている管理者メールアドレスをセットする。
【００９８】
次いで、スイッチＳ１がオンにセットされているかどうかを調べる（判断６１０）。判断６１０の結果がＮＯになるときには、スイッチＳ２がオンで、かつ、フラグＥＲがオンになっているかどうかを調べる（判断６１１）。
【００９９】
判断６１１の結果がＹＥＳになるときは、このときの送達確認メールが送信エラーを通知するものであり、かつ、送信エラーの送達確認メールを記録出力するように設定されている場合であり、また、判断６１０の結果がＹＥＳになっているときは、全ての送達確認メールを記録出力するように設定されている場合である。そこで、かかる場合には、送達確認メールの内容を記録出力する（処理６１２）。
【０１００】
そして、スイッチＳ３がオンにセットされているかどうかを調べ（判断６１３）、判断６１３の結果がＮＯになるときには、スイッチＳ４がオンにセットされており、かつ、フラグＥＲがオンにセットされているかどうかを調べる（判断６１４）。
【０１０１】
判断６１４の結果がＹＥＳになるときは、このときの送達確認メールが送信エラーを通知するものであり、かつ、送信エラーの送達確認メールを転送するように設定されている場合であり、また、判断６１３の結果がＹＥＳになっているときは、全ての送達確認メールを転送するように設定されている場合である。そこで、かかる場合には、転送先にセットされているメールアドレスへ、送達確認メールの内容を転送する（処理６１５）。
【０１０２】
このようにして、本実施例では、送達確認メールの内容を常に、あるいは、エラーの場合にのみ、記録出力するか否か、または、転送するか否かを、ユーザが指定することができるので、ユーザの使い勝手に応じた転送確認通知を行うことができる。例えば、この場合には、管理者メールアドレスが登録されていなくとも、スイッチＳ１の値をオンに設定することで、送達確認メールの内容を取り出すことができるので、通信管理上便利であろう。
【０１０３】
【発明の効果】
以上説明したように、本発明によれば、ネットワークファクシミリ装置は、送達確認メールを受信すると、その送達確認メールを、あらかじめ登録されている管理者メールアドレスへと転送するので、このネットワークファクシミリ装置の管理者は、ネットワークファクシミリ装置が送信した電子メールが、目的のメールアドレスへ送達されたか、あるいは、送達されなかったかを明確に知ることができ、その送達結果に対応した処置（例えば、同一画情報の再送動作など）を迅速に行うことができるようになり、ネットワークファクシミリ装置の使い勝手が大幅に向上するという効果を得る。また、送達確認メールの内容が勝手に記録出力されないので、無駄な用紙の消費を抑制できるという効果も得る。
【０１０４】
また、受信した送達確認メールに、送信者個人のメールアドレスが含まれている場合には、送達確認メールをその送信者個人のメールアドレスへ転送することができるので、送信者自身が、自分が設定した画情報送信の結果を知ることができ、非常に便利であるという効果も得る。
【０１０５】
また、送達確認メールを受信したとき、その内容が送達失敗をあらわすものである場合にのみ、送達確認メールを記録出力するので、無駄に記録紙が消費されるような事態を回避できるとともに、画情報送信が失敗した旨をユーザへ適切に通知することができることとなるという効果も得る。
【０１０６】
また、送達確認メールの内容を常に、あるいは、エラーの場合にのみ、記録出力するか否か、または、転送するか否かを、ユーザが指定することができるので、ユーザの使い勝手に応じた転送確認通知を行うことができるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】ＤＳＮが適用される場合において、メールボックスまでの送信が失敗したときに、宛先のメールボックスが準備されているメールサーバから、送信元へと返送される送達確認メールの一例を示した概略図。
【図４】ＭＤＮが適用される場合において、送信が成功したときに、宛先のネットワークファクシミリ装置から送信元のネットワークファクシミリ装置に対して送信される送達確認メールの一例を示した概略図。
【図５】電子メールを受信した際にネットワークファクシミリ装置ＦＸが実行する処理の一例を示したフローチャート。
【図６】電子メールを受信した際にネットワークファクシミリ装置ＦＸが実行する処理の他の例を示したフローチャート。
【図７】ユーザがこのネットワークファクシミリ装置ＦＸを直接操作して、電子メールを使用した画情報送信を行う場合の手順の一例を示すフローチャート。
【図８】電子メールを受信した際にネットワークファクシミリ装置ＦＸが実行する処理のさらに他の例を示したフローチャート。
【図９】電子メールを受信した際にネットワークファクシミリ装置ＦＸが実行する処理のまたさらに他の例を示したフローチャート。
【図１０】スイッチ（ソフトスイッチまたはハードスイッチ）Ｓ１，Ｓ２，Ｓ３，Ｓ４の一例を示した概略図。
【図１１】電子メールを受信した際にネットワークファクシミリ装置ＦＸが実行する処理の別な例を示したフローチャート。
【符号の説明】
ＦＸ  ネットワークファクシミリ装置
【図１】
0003599313.tif 000002
【図２】
0003599313.tif 000003
【図３】
0003599313.tif 000004
【図４】
0003599313.tif 000005
【図５】
0003599313.tif 000006
【図６】
0003599313.tif 000007
【図７】
0003599313.tif 000008
【図８】
0003599313.tif 000009
【図９】
0003599313.tif 000010
【図１０】
0003599313.tif 000011
【図１１】
0003599313.tif 000012